(57)【要約】【課題】閲覧時の文字サイズを大きくするため板状本体をある程度大きくし、スクラップすべき情報が記載された対象物が板状本体によって手暗がりとなっても、対象物の情報を明るく適切に撮影でき、且つ軽量で安価な携帯用電子スクラップ装置を提供する。【解決手段】携帯可能な板状本体２と、板状本体２の一側面に設けられた電子ペーパー３と、板状本体２の他側面に設けられスクラップすべき情報を撮影するカメラ４と、板状本体２の内部に設けられカメラ４で撮影された情報を保存する記憶部５とを備え、スクラップすべき情報をカメラ４で撮影するために、その情報が記載された対象物６に板状本体２を翳したとき、板状本体２によって上方が覆われて影となる対象物６を連続的に照らすための照明部７を板状本体２に設けた。【選択図】図３
2015126470.tif 000002
【特許請求の範囲】
【請求項１】
携帯可能な板状本体と、
該板状本体の一側面に設けられた電子ペーパーと、
前記板状本体の他側面に設けられ、スクラップすべき情報を撮影するカメラと、
前記板状本体の内部に設けられ、前記カメラで撮影された情報を保存する記憶部とを備え、
前記カメラで撮影し前記記憶部に保存された情報を前記電子ペーパーに表示する携帯用電子スクラップ装置であって、
スクラップすべき情報を前記カメラで撮影するために、その情報が記載された対象物に前記板状本体を翳したとき、前記板状本体によって上方が覆われて影となる前記対象物を連続的に照らすための照明部を前記板状本体に設けた、ことを特徴とする携帯用電子スクラップ装置。
【請求項２】
前記板状本体に、前記照明部の光を前記対象物に照射するための第１光ガイドを設けると共に、前記照明部の光を前記板状本体の一側面に案内するための第２光ガイドを設け、
該第２光ガイドによって前記板状本体の一側面に案内された光を前記電子ペーパーの照明光とする、ことを特徴とする請求項１に記載の携帯用電子スクラップ装置。
【請求項３】
前記第１光ガイドに、前記照明部から前記第１光ガイドを通過して前記対象物へ照射される光を遮断又は開放する第１シャッターを設け、
前記第２光ガイドに、前記照明部から第２光ガイドを通過して前記板状本体の一側面に案内される光を遮断又は開放する第２シャッターを設けた、ことを特徴とする請求項２に記載の携帯用電子スクラップ装置。
【請求項４】
前記電子ペーパーの上面に、前記第２光ガイドによって前記照明部から前記板状本体の一側面に案内された光が照射されて光る透明な板状被照体を設けた、ことを特徴とする請求項２又は３に記載の携帯用電子スクラップ装置。
【請求項５】
前記照明部が、前記板状本体の他側面に、前記カメラを囲繞するように配置された、ことを特徴とする請求項１から４の何れか１項に記載の携帯用電子スクラップ装置。
【請求項６】
前記照明部が、前記板状本体の内部に、前記電子ペーパーの外周に沿って配置された、ことを特徴とする請求項１から４の何れか１項に記載の携帯用電子スクラップ装置。
【発明の詳細な説明】
【技術分野】
【０００１】
本発明は、携帯可能な板状本体の一側面に電子ペーパーを設け、板状本体の他側面にカメラを設け、カメラで撮影したスクラップ情報を電子ペーパーに表示するようにした携帯用電子スクラップ装置に関する。
【背景技術】
【０００２】
業務上あるいは業務外のいかなる生活シーンを問わず、任意の大きさの紙媒体すなわち新聞、雑誌、書類等の閲覧中に、自分にとって有益な記事情報を目の当たりにしたとき、紙媒体からその情報の部分を切り抜き、ノート等に貼付し、保存・活用するスクラップ帳を利用する人は少なくない。しかし、スクラップ帳を利用する場合、紙媒体を切り抜いて貼付する必要があるため、スクラップする対象物（紙媒体）が破損してしまう上、ハサミやノリが必要であり、情報収集の作業が煩雑で時間が掛かる。また、情報をスクラップするにつれて、収集した「紙」の情報が蓄積されて嵩が増していくため、スクラップ帳の冊数が増え、大きな収納スペースが必要となる。
【０００３】
そこで、本発明者は、先に、携帯可能な板状本体の一側面に画面部を設け、板状本体の他側面にカメラを設け、板状本体の内部に記憶部を設け、カメラで撮影した情報を画面部に表示するようにした携帯用電子スクラップ装置を創案した（特許文献１参照）。かかる携帯用電子スクラップ装置によれば、カメラで情報を撮影してスクラップしているので、スクラップする素材が破損することなく手軽に簡単にスクラップでき、また、カメラで撮影したスクラップすべき情報を記憶部に保存するので、スクラップ量が増えても嵩張ることはない。
【先行技術文献】
【特許文献】
【０００４】
【特許文献１】特許第４８６５０７９号公報
【発明の概要】
【発明が解決しようとする課題】
【０００５】
ところで、上述の携帯用電子スクラップ装置を使用して実際に情報をスクラップしようとする場合、板状本体をスクラップすべき情報が記載された対象物（新聞、雑誌、カタログ等）の上方に翳して板状本体に設けたカメラで情報を撮影することになるが、板状本体によって対象物の上方が覆われて影になるため、対象物に記載された情報を明るく撮影できなくなる可能性がある。
【０００６】
この点、詳述すると、上述の携帯用電子スクラップ装置を使用して情報をスクラップする場合、スクラップすべき情報が記載された対象物を室内の机等に載置し、その対象物の上方に板状本体を翳し、板状本体に設けたカメラで対象物に記載された情報を撮影する。この状況においては、机等に置かれた対象物の上方が板状本体によって覆われるため、対象物を照らすべき室内照明が板状本体によって遮られ、対象物が板状本体の影になってしまう。この結果、カメラで対象物の情報を撮影する際に暗く撮影され、細かな文字情報や模様情報等が判別困難となる可能性がある。
【０００７】
また、板状本体に設けた画面部は、カメラで撮影された文字情報の文字を判読可能な適切なサイズで表示するためにある程度の大きさの面積（例えばＡ４サイズ）が必要であり、このように大きな画面部が組み込まれた板状本体をスクラップすべき情報が記載された対象物の上方に翳すと、板状本体のサイズに応じた大きな影が生じるため、対象物に記載された情報を板状本体に設けたカメラで明るく撮影することは困難となり得る。
【０００８】
なお、ｉＰａｄ（登録商標）等に代表される市販のカメラ付きタブレット型多機能端末によっても、対象物に記載された情報をカメラで撮影して電子的にスクラップすることは可能であるが、この種のカメラ付きタブレット型多機能端末に組み込まれた画面部は液晶であり、重量が重く、携帯に不向きである。加えて、多機能仕様であるため操作が複雑となり、スクラップのための情報収集ツールとしては使い勝手が悪く、高価である。
【０００９】
以上の事情を考慮して創案された本発明の目的は、閲覧時の文字サイズを大きくするため板状本体をある程度大きくし、スクラップすべき情報が記載された対象物が板状本体によって手暗がりとなっても、対象物の情報を明るく適切に撮影でき、且つ軽量で安価な携帯用電子スクラップ装置を提供することにある。
【課題を解決するための手段】
【００１０】
上記目的を達成すべく創案された本発明によれば、携帯可能な板状本体と、板状本体の一側面に設けられた電子ペーパーと、板状本体の他側面に設けられ、スクラップすべき情報を撮影するカメラと、板状本体の内部に設けられ、カメラで撮影された情報を保存する記憶部とを備え、カメラで撮影し記憶部に保存された情報を電子ペーパーに表示する携帯用電子スクラップ装置であって、スクラップすべき情報をカメラで撮影するために、その情報が記載された対象物に板状本体を翳したとき、板状本体によって上方が覆われて影となる対象物を連続的に照らすための照明部を板状本体に設けた、ことを特徴とする携帯用電子スクラップ装置が提供される。
【００１１】
板状本体に、照明部の光を対象物に照射するための第１光ガイドを設けると共に、照明部の光を板状本体の一側面に案内するための第２光ガイドを設け、第２光ガイドによって板状本体の一側面に案内された光を電子ペーパーの照明光としてもよい。
【００１２】
第１光ガイドに、照明部から第１光ガイドを通過して対象物へ照射される光を遮断又は開放する第１シャッターを設け、第２光ガイドに、照明部から第２光ガイドを通過して板状本体の一側面に案内される光を遮断又は開放する第２シャッターを設けてもよい。
【００１３】
電子ペーパーの上面に、第２光ガイドによって照明部から板状本体の一側面に案内された光が照射されて光る透明な板状被照体を設けてもよい。
【００１４】
照明部が、板状本体の他側面に、カメラを囲繞するように配置されてもよい。
【００１５】
照明部が、板状本体の内部に、電子ペーパーの外周に沿って配置されてもよい。
【発明の効果】
【００１６】
本発明に係る携帯用電子スクラップ装置によれば次のような効果を発揮できる。
（１）板状本体の一側面に電子ペーパーが設けられ、他側面にカメラが設けられており、スクラップすべき情報を板状本体のカメラで撮影する際、その情報が記載された対象物に板状本体を翳したとき、板状本体によって上方が覆われて影となる対象物を板状本体に設けた照明部によって連続的に照らすことができる。
（２）従って、カメラで撮影された文字情報を判読可能な適切な大きさで表示すべく電子ペーパーのサイズをある程度の大きさとし、これに伴って板状本体のサイズが大きくなり、上述した影の面積が広がっても、対象物に記載されたスクラップすべき文字情報等をカメラで明るく撮影できる。よって、細かな文字情報等を鮮明に電子ペーパーに表示できる。
（３）カメラで撮影したスクラップ情報を表示する画面部に、液晶ではなく電子ペーパーを用いているので軽量となり、携帯性に優れる。また、スクラップ機能に特化することで操作が容易となり安価となる。
【図面の簡単な説明】
【００１７】
【図１】本発明の第１実施形態に係る携帯用電子スクラップ装置の説明図であり、（ａ）は携帯用電子スクラップ装置の正面図、（ｂ）は同装置の側面図、（ｃ）は同装置の背面図である。
【図２】図１（ｃ）のII−II線断面図である。
【図３】図１の携帯用電子スクラップ装置を用いた情報のスクラップ作業（撮影）を示す斜視図である。
【図４】図１の携帯用電子スクラップ装置によるスクラップ情報の閲覧を示す正面図である。
【図５】本発明の第２実施形態に係る携帯用電子スクラップ装置の説明図であり、（ａ）は携帯用電子スクラップ装置の正面図、（ｂ）は同装置の側面図、（ｃ）は同装置の背面図である。
【図６】図５（ｃ）のVI−VI線断面図である。
【図７】本発明の第３実施形態に係る携帯用電子スクラップ装置の部分断面図である。
【発明を実施するための形態】
【００１８】
以下に添付図面を参照しながら、本発明の好適な実施形態について詳細に説明する。係る実施形態に示す寸法、材料、その他具体的な数値等は、発明の理解を容易にするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１９】
（携帯用電子スクラップ装置１の概要）
図１〜図４に、本発明の第１実施形態に係る携帯用電子スクラップ装置１を示す。図１（ａ）は本実施形態に係る携帯用電子スクラップ装置１の正面図、図１（ｂ）は同装置１の側面図、図１（ｃ）は同装置１の背面図、図２は図１（ｃ）のII−II線断面図である。図３は同装置１を用いた情報のスクラップ作業（撮影）を示す斜視図、図４は同装置１によるスクラップ情報の閲覧を示す正面図である。
【００２０】
図１、図２に示すように、本実施形態に係る携帯用電子スクラップ装置１は、携帯可能な板状本体２と、板状本体２の一側面に設けられた電子ペーパー３と、板状本体２の他側面に設けられスクラップすべき情報を撮影するカメラ４と、板状本体２の内部に設けられカメラ４で撮影された情報を保存する記憶部５とを備え、カメラ４で撮影し記憶部５に保存された情報を電子ペーパー３に表示するようにしたものである。図３に示すように、板状本体２には、スクラップすべき情報をカメラ４で撮影する際に、その情報が記載された対象物６に板状本体２を翳したとき、板状本体２によって上方が覆われて室内光Ｌの影となる対象物６を連続的に照らすための照明部７が設けられている。
【００２１】
照明部７の光は、図３に示すように、カメラ４による撮影時には対象物６に記載された情報を照らすライト（矢印参照）として用いられることに加え、図４に示すように、電子ペーパー３に画像を表示する閲覧時には電子ペーパー３の照明光（矢印参照）としても用いられる。すなわち、図２に示すように、板状本体２には、照明部７の光を対象物６（図３参照）に照射するための第１光ガイド８が設けられていると共に、照明部７の光を板状本体２の一側面に案内するための第２光ガイド９が設けられている。照明部７から第１光ガイド８を通って対象物６に照射された光がカメラ４による撮影時のライトとなり、照明部７から第２光ガイド９を通って板状本体２の上面に案内された光が電子ペーパー３の照明光となる。以下、携帯用電子スクラップ装置１の各構成要素について説明する。
【００２２】
（板状本体２）
図１（ａ）、図１（ｂ）、図１（ｃ）に示す板状本体１は、一側面に電子ペーパー３が設けられ、他側面にカメラ４が設けられ、内部に記憶部５が収容されている。板状本体２は、図２に示すように、樹脂や金属等から成形された底板２ａ及び側板２ｂを有し、それらの内方に電子ペーパー３が取り付けられている。板状本体２のサイズは、そこに取り付けられる電子ペーパー３のサイズに応じて定められる。ここで、電子ペーパー３のサイズは、カメラ４で撮影した文字情報の文字を判読可能に適切に表示するためには所定の大きさ（例えば１０．２インチ等）が必要であり、それが取り付けられる板状本体２のサイズもそれに応じて大きくなる（例えばＡ４サイズ等）。
【００２３】
この結果、図３に示すように、このように大きな板状本体１をスクラップすべき情報が記載された対象物６に翳したとき、板状本体２によって上方が覆われて室内光Ｌが遮られることによる対象物６の影の面積が、板状本体２の大きさに応じて広くなってしまう。そこで、板状本体２に、上述した影となる対象物６を連続的に照らすための照明部７を設け、対象物６に記載されたスクラップすべき文字情報等を明るく撮影できるようにしている。
【００２４】
（電子ペーパー３）
図１（ａ）に示すように、板状本体２の一側面には電子ペーパー３が設けられている。電子ペーパー３は、紙と同様の視認性・携帯性を有し、画像の表示内容を電子的に書き換えられる表示媒体であり、画像保持のための電気は不要又は極小であり、画像の書き換え時の消費電力も小さいという特徴を有する。また、紙と同様に反射光を利用して表示するため、視野角が広く、直接日光が当たっても見易く、目に対する負担が少ない。反面、暗所では別途照明が必要となる。電子ペーパー３の種類には、マイクロカプセル方式、電子粉粒体方式、電気泳動方式、化学変化方式等が存在するが、どれを採用してもよい。
【００２５】
本実施形態では、電子ペーパー３には、マイクロカプセル型電気泳動方式の１０．２インチ、解像度１６０ｄｐｉ、画像ピクセル数１３１万画素のものが用いられているが、このスペックに限られることはない。但し、電子ペーパー３には、カメラ４で撮影した文字情報の文字を判読可能に適切に表示するため必要なサイズ（例えば１０．２インチ）のものが用いられる。なお、電子ペーパー３のサイズは、カメラ４による撮影時に、対象物６（紙面等）に記載された文字を略そのままのサイズ（大きさ）で電子ペーパー３に表示できる大きさでもよい。これにより、閲覧時に、画面上で（煩わしい）拡大のタッチ操作をすることなく、略そのままの状態で（ストレスなく）文字を判読できる。また、電子ペーパー３は、カメラ４で撮影して記憶部５に保存されたスクラップ情報を表示する閲覧機能の他、図３の状態において現在カメラ４に写っているスクラップすべき情報を表示するモニター機能も有する。図３の一点鎖線は、モニターされるエリア（カメラ４の撮影エリア）を示す。
【００２６】
（カメラ４）
図１（ｃ）に示すように、板状本体２の他側面（電子ペーパー３とは反対面）にはカメラ４が設けられている。カメラ４は、対象物６（図３参照）に記載されたスクラップすべき情報を撮影するものであり、文字情報の文字を判読可能に適切に撮影できる能力を有し、例えば５００万画素級のカメラモジュールが用いられる。カメラ４で撮影されるスクラップすべき情報には、新聞、雑誌等に記載された文字、グラフ、図形等の他、テレビの画面に表示された画像や立体物や風景等も含まれる。なお、風景等の遠方の情報を撮影する際には、焦点距離を合わせるため、カメラ４のレンズが交換可能となっていてもよい。なお、カメラ４は、板状本体２に設けたシャッター釦（図示せず）を半押したとき現在カメラ４が捉えている画像（スクラップすべき情報）を電子ペーパー３に表示し、シャッター釦を全押したときその画像を撮影するようになっていてもよい。
【００２７】
（記憶部５）
図１（ｃ）に示すように、板状本体２の内部には記憶部５が設けられている。記憶部５は、カメラ４で撮影されたスクラップすべき情報を保存するものであり、板状本体２の内部に設けられた内蔵メモリ（フラッシュメモリ、ハードディスク等）、板状本体２に着脱される外部メモリ（ＳＤメモリカード、ミニＳＤ、マイクロＳＤ等）の少なくとも一方が設けられる。なお、板状本体２には、ＵＳＢ端子（図示せず）が設けられており、外部のコンピュータと接続することで、記憶部５とコンピュータとの間で情報（画像データ等）を送受信できるようになっている。
【００２８】
（照明部７）
図１（ｃ）、図２、図３に示すように、照明部７は、スクラップすべき情報をカメラ４で撮影するために、その情報が記載された対象物６に板状本体２を翳したとき、板状本体２によって上方が覆われて室内光Ｌの影となる対象物６を連続的に照らすものであり、板状本体２の他側面（電子ペーパー３とは反対面）に、カメラ４を囲繞するように四角リング状に配置されている。照明部７の配置は、連続的な四角リング状に限られず、間隔を隔てて複数配置されてもよく、丸型リング状やライン状（バー状）配置でも構わない。照明部７にはＬＥＤ（白色ＬＥＤ）等が用いられる。照明部７は、板状本体２に設けたスイッチ（図示せず）によってオンオフされ、通常オフとされ必要なときにオンされる。必要なときとしては、例えば、カメラ４による撮影時に板状本体２によって対象物６が室内光Ｌの影になってしまうとき、暗所で電子ペーパー３を閲覧するとき、等が挙げられる。
【００２９】
（第１光ガイド８、第２光ガイド９）
図２に示すように、板状本体２の内部には、照明部７の光を対象物６に照射するための第１光ガイド８が設けられていると共に、照明部７の光を板状本体２の電子ペーパー３側の面に案内するための第２光ガイド９が設けられている。第１光ガイド８は、照明部７の表面（対象部６に対向する面）に設けられた透明部材（ガラス、アクリル、樹脂等）からなる。第１光ガイド８には、照明部７から第１光ガイド８を通過して対象物へ照射される光を、遮断又は開放する第１シャッター８Ｓが設けられている。第１シャッター８Ｓは、電子ペーパー３と同様の構造又は液晶パネルと同様の構造となっており、板状本体２に設けたスイッチ（図示せず）によって、透明状態（開）と光を遮る状態（閉）とに切り換えられる。なお、第１シャッター８Ｓは、電子シャッターでも機械式シャッターでも構わない。
【００３０】
図２に示すように、第２光ガイド９は、電子ペーパー３の裏面と板状本体２の底板２ａとの間に配置された下部第２光ガイド９ａと、電子ペーパー３の外周面と板状本体２の側板２ｂとの間に配置された側部第２光ガイド９ｂとからなる。下部第２光ガイド９ａ及び側部第２光ガイド９ｂは、透明な部材（ガラス、アクリル、樹脂等）からなる。下部第２光ガイド９ｂは、図１（ｃ）に示すように板状本体２の下方から見て台形状に成形されており、側部第２光ガイド９ｂは、板状本体２の厚さに応じた高さの低い四角筒状に成形されている。下部第２光ガイド９ａ及び側部第２光ガイド９ｂを区画する面は、反射面（鏡面、銀色面、金色面等）となっており、照明部７から照射された光を内方に反射する。照明部７を支持する面も反射面となっており、照明部７から照射された光を内方に反射する。側部第２光ガイド９ｂの入口と出口には、４５度の傾斜角の反射部材１０、１１が設けられており、照明部７から照射された光が反射部材１０、１１によって反射され、板状本体２の上面に案内されるようになっている。
【００３１】
第２光ガイド９には、照明部７から第２光ガイド９を通過して板状本体２の上面に案内される光を遮断又は開放する第２シャッター９Ｓが設けられている。第２シャッター９Ｓは、第１シャッター８Ｓと同様の構造であり、板状本体２に設けたスイッチ（図示せず）によって、第１シャッター８Ｓの開閉とは切り離して、透明状態（開）と光を遮る状態（閉）とに切り換えられる。第２シャッター９Ｓは、本実施形態では下部第２光ガイド９ａに照明部７に隣接して配置されているが、これに限らず、側部第２光ガイド９ｂに配置してもよい。なお、第２光ガイド９（下部第２光ガイド９ａ、側部第２光ガイド９ｂ）を中空構造として軽量化を図ってもよい。第２シャッター９Ｓは、電子シャッターでも機械式シャッターでも構わない。
【００３２】
（板状被照体１２）
図２に示すように、電子ペーパー３の上面には、第２光ガイド９によって板状本体２の一側面に案内された光が照射されて光る透明な板状被照体１２が設けられている。板状被照体１２は、屈折率が大きなガラスやアクリルなどの透明な中央板１２ａと、中央板１２ａの上面に配設され中央板１２ａよりも屈折率が小さな透明な上板１２ｂと、中央板１２ａの下面に配設され中央板１２ａよりも屈折率が小さな透明な下板１２ｃとを有し、第２光ガイド９を通って端面から入射した光が中央板１２ａを全反射しながら進行するようになっている。これにより、板状被照体１２が光り、電子ペーパー３の照明光となる。なお、上板１２ｂは、上方から下方へは透視可能で下方から上方へは鏡として機能するミラーガラスでもよい。また、板状被照体１２は、上述の構成に限られず、端面から入射した光を拡散させて光る透明な拡散フィルム（ポリカーボネート、アクリル等）でもよい。
【００３３】
（作用・効果）
本実施形態に係る携帯用電子スクラップ装置１によれば、図１（ａ）、図１（ｂ）、図１（ｃ）に示すように、板状本体２の一側面に電子ペーパー３が他側面にカメラ４が設けられており、図３に示すように、対象物６に記載されたスクラップすべき情報を板状本体２に設けたカメラ４で撮影する際、対象物６に板状本体２を翳したとき、板状本体２によって上方が覆われて室内光Ｌの影となる対象物６を板状本体２に設けた照明部７によって連続的に照らすことができる。
【００３４】
従って、カメラ４で撮影された文字情報の文字を判読可能な適切な大きさで表示すべく電子ペーパー３のサイズをある程度の大きさ（例えば１０．２インチ）とし、これに伴って板状本体２のサイズが大きくなり（例えばＡ４サイズ）、板状本体２による室内光Ｌの影の面積が広がっても、対象物６に記載されたスクラップすべき文字情報等をカメラ４で明るく撮影できる。この結果、撮影された細かな文字情報や模様情報等を、鮮明・明瞭・クリアーに必要な大きさで判読可能に電子ペーパー３に表示できる。
【００３５】
カメラ４で撮影したスクラップ情報を表示する画面部に、液晶ではなく電子ペーパー３を用いているので軽量となり、携帯性に優れる。電子ペーパー３は、液晶に比べ消費電力が小さいので一回の充電で長期間使用でき、紙と同様に反射光を利用して視認するため視野角が広く、直接日光が当たっても見易く、目の負担が少なく、携帯用電子スクラップ装置１の画面部として好適である。なお、画面の書換え（切換え）速度が遅く動画用途には向かない面もあるが、記憶部５に保存された静止画データ（スクラップデータ）を表示するには全く支障が無い。また、スクラップ機能に特化することで操作が容易となり安価となる。
【００３６】
図２に示すように、板状本体２に、照明部７の光を対象物６（図３参照）に照射するための第１光ガイド８を設けると共に、照明部７の光を板状本体２の一側面に案内するための第２光ガイド９を設け、第２光ガイド９によって板状本体２の一側面に案内された光を電子ペーパー３の照明光としている。よって、電子ペーパー３を閲覧する際の光源を照明部７の他に別途設ける必要がなく、コストダウン及び軽量化を推進できる。なお、周囲が明るい場所で電子ペーパー３を閲覧する際には、照明部７を板状本体２に設けたスイッチによりオフ（消灯）することで、消費電力を抑えることができる。
【００３７】
図２に示すように、第１光ガイド８に、照明部７から第１光ガイド７を通過して対象物６（図３参照）へ照射される光を遮断（閉）又は開放（開）する第１シャッター８Ｓを設け、第２光ガイド９に、照明部７から第２光ガイド９を通過して板状本体２の一側面に案内される光を遮断又は開放する第２シャッター９Ｓを設けている。
【００３８】
よって、図３に示すように、対象物６に記載されたスクラップすべき情報をカメラ４で撮影する際には、第１シャッター８Ｓを開、第２シャッター９Ｓを閉とすることで、照明部７の光を全て対象物６に照射でき、対象物６に記載されたスクラップすべき情報を明るく撮影できる。なお、スクラップ時に、対象物６の上方に板状本体２を翳した際、板状本体２と対象物６との間を照らす照明等が存在して対象物６が明るい状況では、照明部７を板状本体２に設けたスイッチによりオフすることで、消費電力を抑えることができる。なお、板状本体２に設けたカメラ４のシャッター釦を半押したとき、第１シャッター８Ｓが開、第２シャッター９Ｓが閉となり、シャッター釦を全押したときその状況が維持されるようになっていてもよい。
【００３９】
一方、図４に示すように、記憶部５（図１（ｃ）参照）に保存されたスクラップ情報を電子ペーパー３に表示する際には、図２に示す第１シャッター８Ｓを閉、第２シャッター９Ｓを開とすることで、照明部７の光を全て電子ペーパー３の照明光として利用でき、電子ペーパー３を明るく閲覧できる。
【００４０】
図２に示すように、電子ペーパー３の上面に、第２光ガイド９によって照明部７から板状本体２の一側面に案内された光が照射されて光る透明な板状被照体１２を設けたので、この板状被照体１２によって電子ペーパー３を適切に照らすことができる。よって、暗い場所でも電子ペーパー３に表示されたスクラップ情報を判読できる。
【００４１】
図１（ｃ）に示すように、照明部７は、板状本体２の他側面（電子ペーパー３とは反対面）に、カメラ４を囲繞するように四角リング状に配置されている。よって、図３に示すように、板状本体２をスクラップすべき情報が記載された対象物６の上方に翳してカメラ４で撮影する際、板状本体２によって室内光Ｌの影となる対象物６を照明部７によってムラなく均一に照らすことができる。また、照明部７を四角リング状とすることで、図４に示すように、電子ペーパー３の閲覧時には、電子ペーパー３の上面に配置された板状被照体１２に四辺から光を入射でき、板状被照体１２をバランスよく光らせることができ、照射面（電子ペーパー３の上面）をムラなく均一に照らすことができる。
【００４２】
（第２実施形態）
図５（ａ）、図５（ｂ）、図５（ｃ）、図６に本発明の第２実施形態に係る携帯用電子スクラップ装置１ｘを示す。第２実施形態に係る携帯用電子スクラップ装置１ｘは、第１実施形態に係る携帯用電子スクラップ装置１と基本的には同様に構成であるので、同様の構成要素には同一の符号を付して説明を省略し、相違する部分を説明する。
【００４３】
第２実施形態に係る携帯用電子スクラップ装置１ｘにおいては、図６に示すように、照明部（ＬＥＤ等）７が、板状本体２の内部に、電子ペーパー３の外周に沿って四角リング状に配置されており、その照明部７の下部に四角リング状の第１光ガイド８が設けられ、照明部７の上部に四角リング状の第２光ガイド９が設けられている。第１光ガイド８及び第２光ガイド９を区画する面は、反射面（鏡面、銀色面、金色面等）となっており、照明部７から照射された光を内方に反射する。照明部７を支持する面も反射面となっており、照明部から照射された光を内方に反射する。
【００４４】
第２光ガイド９には、４５度の傾斜角の反射部材１１が設けられており、照明部７から照射された光が反射部材１１で反射され板状被照体１２の端面に導かれるようになっている。第１光ガイド８には第１シャッター８Ｓが設けられ、第２光ガイド９には第２シャッター９Ｓが設けられている。第２実施形態に係る携帯用電子スクラップ装置１ｘの作用効果は第１実施形態に係る携帯用電子スクラップ装置１と同様である。
【００４５】
（第３実施形態）
図７に本発明の第３実施形態に係る携帯用電子スクラップ装置１ｙを示す。第３実施形態に係る携帯用電子スクラップ装置１ｙは、第２実施形態に係る携帯用電子スクラップ装置１ｘと基本的には同様に構成であるので、同様の構成要素には同一の符号を付して説明を省略し、相違する部分を説明する。
【００４６】
第３実施形態に係る携帯用電子スクラップ装置１ｙにおいては、図７に示すように、第１光ガイド８は、４５度の傾斜角の反射部材１０と、照明部７から照射され反射部材１０で反射された光が入射されて光る撮影用板状被照体１３とを備えている。撮影用板状被照体１３は、図３に示すように、カメラ４での撮影時に板状本体の影になる対象物６を照らすものであり、電子ペーパー３の閲覧用の板状被照体１２と同様の構造でもよく、すりガラス等の板状光散乱体から構成されていてもよい。第３実施形態に係る携帯用電子スクラップ装置１ｙの作用効果は第１、第２実施形態と同様である。
【００４７】
以上、添付図面を参照しつつ本発明の好適な実施形態について説明したが、本発明は上述した各実施形態に限定されないことは勿論であり、特許請求の範囲に記載された範疇における各種の変更例又は修正例についても、本発明の技術的範囲に属することは言うまでもない。
【００４８】
例えば、板状本体２に水平センサ（重力センサ）を内蔵し、図３において、カメラ４のシャッター釦を全押し状態としているとき、板状本体２が水平になったことを条件に、カメラ４のシャッターが切れるようになっていてもよい。これにより、対象物６に記載された文字情報の文字を歪みなく撮影でき、電子ペーパー３に表示したときの読み易さが高まる。また、板状本体２内の画像処理部にＯＣＲ（optical character recognition）を組み込んだ場合の識字率が高まる。なお、電子ペーパー３は、背景が白で文字が黒の状態と、背景が黒で文字が白の状態とに切り換えられるようになっていてもよい。
【産業上の利用可能性】
【００４９】
本発明は、カメラで撮影して記憶部に保存された情報を画面部に表示するようにした携帯用電子スクラップ装置に利用できる。
【符号の説明】
【００５０】
１  携帯用電子スクラップ装置
２  板状本体
３  電子ペーパー
４  カメラ
５  記憶部
６  対象物
７  照明部
８  第１光ガイド
８Ｓ  第１シャッター
９  第２光ガイド
９Ｓ  第２シャッター
１２  板状被照体
【図１】
2015126470.tif 000003
【図２】
2015126470.tif 000004
【図３】
2015126470.tif 000005
【図４】
2015126470.tif 000006
【図５】
2015126470.tif 000007
【図６】
2015126470.tif 000008
【図７】
2015126470.tif 000009
【手続補正書】
【提出日】平成26年9月21日(2014.9.21)
【手続補正１】
【補正対象書類名】特許請求の範囲
【補正対象項目名】全文
【補正方法】変更
【補正の内容】
【特許請求の範囲】
【請求項１】
携帯可能な板状本体と、
該板状本体の一側面に設けられた電子ペーパーと、
前記板状本体の他側面に設けられ、スクラップすべき情報を撮影するカメラと、
前記板状本体の内部に設けられ、前記カメラで撮影された情報を保存する記憶部とを備え、
前記カメラで撮影し前記記憶部に保存された情報を前記電子ペーパーに表示する携帯用電子スクラップ装置であって、
スクラップすべき情報を前記カメラで撮影するために、その情報が記載された対象物に前記板状本体を翳したとき、前記板状本体によって上方が覆われて影となる前記対象物を連続的に照らすための照明部を前記板状本体に設け、
前記板状本体に、前記照明部の光を前記対象物に照射するための第１光ガイドを設けると共に、前記照明部の光を前記板状本体の一側面に案内するための第２光ガイドを設け、
該第２光ガイドによって前記板状本体の一側面に案内された光を前記電子ペーパーの照明光とし、
前記第１光ガイドに、前記照明部から前記第１光ガイドを通過して前記対象物へ照射される光を遮断又は開放する第１シャッターを設け、
前記第２光ガイドに、前記照明部から前記第２光ガイドを通過して前記板状本体の一側面に案内される光を遮断又は開放する第２シャッターを設けた、
ことを特徴とする携帯用電子スクラップ装置。
【請求項２】
前記電子ペーパーの上面に、前記第２光ガイドによって前記照明部から前記板状本体の一側面に案内された光が照射されて光る透明な板状被照体を設けた、ことを特徴とする請求項１に記載の携帯用電子スクラップ装置。
【請求項３】
前記カメラのシャッター釦を半押したとき、前記第１シャッターが開、前記第２シャッターが閉となり、前記シャッター釦を全押したとき、その状況が維持される、ことを特徴とする請求項１又は２に記載の携帯用電子スクラップ装置。
【請求項４】
携帯可能な板状本体と、
該板状本体の一側面に設けられた電子ペーパーと、
前記板状本体の他側面に設けられ、スクラップすべき情報を撮影するカメラと、
前記板状本体の内部に設けられ、前記カメラで撮影された情報を保存する記憶部とを備え、
前記カメラで撮影し前記記憶部に保存された情報を前記電子ペーパーに表示する携帯用電子スクラップ装置であって、
スクラップすべき情報を前記カメラで撮影するために、その情報が記載された対象物に前記板状本体を翳したとき、前記板状本体によって上方が覆われて影となる前記対象物を連続的に照らすための照明部を前記板状本体に設け、
前記板状本体に、前記照明部の光を前記対象物に照射するための第１光ガイドを設けると共に、前記照明部の光を前記板状本体の一側面に案内するための第２光ガイドを設け、
該第２光ガイドによって前記板状本体の一側面に案内された光を前記電子ペーパーの照明光とし、
前記電子ペーパーの上面に、前記第２光ガイドによって前記照明部から前記板状本体の一側面に案内された光が照射されて光る透明な板状被照体を設けた、
ことを特徴とする携帯用電子スクラップ装置。
【請求項５】
前記照明部が、前記板状本体の他側面に、前記カメラを囲繞するように配置された、ことを特徴とする請求項１から４の何れか１項に記載の携帯用電子スクラップ装置。
【請求項６】
前記照明部が、前記板状本体の内部に、前記電子ペーパーの外周に沿って配置された、ことを特徴とする請求項１から４の何れか１項に記載の携帯用電子スクラップ装置。
【手続補正２】
【補正対象書類名】明細書
【補正対象項目名】００１０
【補正方法】変更
【補正の内容】
【００１０】
上記目的を達成すべく創案された本発明によれば、携帯可能な板状本体と、板状本体の一側面に設けられた電子ペーパーと、板状本体の他側面に設けられ、スクラップすべき情報を撮影するカメラと、板状本体の内部に設けられ、カメラで撮影された情報を保存する記憶部とを備え、カメラで撮影し記憶部に保存された情報を電子ペーパーに表示する携帯用電子スクラップ装置であって、スクラップすべき情報をカメラで撮影するために、その情報が記載された対象物に板状本体を翳したとき、板状本体によって上方が覆われて影となる対象物を連続的に照らすための照明部を板状本体に設け、板状本体に、照明部の光を対象物に照射するための第１光ガイドを設けると共に、照明部の光を板状本体の一側面に案内するための第２光ガイドを設け、第２光ガイドによって板状本体の一側面に案内された光を電子ペーパーの照明光とし、第１光ガイドに、照明部から第１光ガイドを通過して対象物へ照射される光を遮断又は開放する第１シャッターを設け、第２光ガイドに、照明部から第２光ガイドを通過して板状本体の一側面に案内される光を遮断又は開放する第２シャッターを設けた、ことを特徴とする携帯用電子スクラップ装置が提供される。
【手続補正３】
【補正対象書類名】明細書
【補正対象項目名】００１１
【補正方法】変更
【補正の内容】
【００１１】
電子ペーパーの上面に、第２光ガイドによって照明部から前記板状本体の一側面に案内された光が照射されて光る透明な板状被照体を設けてもよい。
【手続補正４】
【補正対象書類名】明細書
【補正対象項目名】００１２
【補正方法】変更
【補正の内容】
【００１２】
前記カメラのシャッター釦を半押したとき、前記第１シャッターが開、前記第２シャッターが閉となり、前記シャッター釦を全押したとき、その状況が維持されるようになっていてもよい。
【手続補正５】
【補正対象書類名】明細書
【補正対象項目名】００１３
【補正方法】変更
【補正の内容】
【００１３】
また、本発明によれば、  携帯可能な板状本体と、板状本体の一側面に設けられた電子ペーパーと、板状本体の他側面に設けられ、スクラップすべき情報を撮影するカメラと、板状本体の内部に設けられ、カメラで撮影された情報を保存する記憶部とを備え、カメラで撮影し記憶部に保存された情報を電子ペーパーに表示する携帯用電子スクラップ装置であって、スクラップすべき情報をカメラで撮影するために、その情報が記載された対象物に板状本体を翳したとき、板状本体によって上方が覆われて影となる対象物を連続的に照らすための照明部を板状本体に設け、板状本体に、照明部の光を対象物に照射するための第１光ガイドを設けると共に、照明部の光を板状本体の一側面に案内するための第２光ガイドを設け、第２光ガイドによって板状本体の一側面に案内された光を電子ペーパーの照明光とし、電子ペーパーの上面に、第２光ガイドによって照明部から板状本体の一側面に案内された光が照射されて光る透明な板状被照体を設けた、ことを特徴とする携帯用電子スクラップ装置が提供される。
【手続補正６】
【補正対象書類名】明細書
【補正対象項目名】００１６
【補正方法】変更
【補正の内容】
【００１６】
本発明に係る携帯用電子スクラップ装置によれば次のような効果を発揮できる。
（１）板状本体の一側面に電子ペーパーが設けられ、他側面にカメラが設けられており、スクラップすべき情報を板状本体のカメラで撮影する際、その情報が記載された対象物に板状本体を翳したとき、板状本体によって上方が覆われて影となる対象物を板状本体に設けた照明部によって連続的に照らすことができる。
（２）従って、カメラで撮影された文字情報を判読可能な適切な大きさで表示すべく電子ペーパーのサイズをある程度の大きさとし、これに伴って板状本体のサイズが大きくなり、上述した影の面積が広がっても、対象物に記載されたスクラップすべき文字情報等をカメラで明るく撮影できる。よって、細かな文字情報等を鮮明に電子ペーパーに表示できる。
（３）カメラで撮影したスクラップ情報を表示する画面部に、液晶ではなく電子ペーパーを用いているので軽量となり、携帯性に優れる。また、スクラップ機能に特化することで操作が容易となり安価となる。
（４）板状本体に、照明部の光を対象物に照射するための第１光ガイドを設けると共に、照明部の光を板状本体の一側面に案内するための第２光ガイドを設け、第２光ガイドによって板状本体の一側面に案内された光を電子ペーパーの照明光としている。よって、電子ペーパーを閲覧する際の光源を照明部の他に別途設ける必要がなく、コストダウン及び軽量化を推進できる。